Podtech/llm-jp-corpus-v4-ja_patent huggingface dataset:
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
基板と、
所定のスイッチと
を備え、
前記基板は、第１信号線と、第２信号線と、第３信号線と、入力ポートと、を少なくとも有し、
前記所定のスイッチは、第１接点と、第２接点と、を少なくとも有し、
前記所定のスイッチの前記第１接点と前記基板の前記第１信号線とは電気的に接続可能となるよう構成されており、
前記所定のスイッチの前記第２接点と前記基板の前記第２信号線とは電気的に接続可能となるよう構成されており、
前記所定のスイッチが第１の状態である場合は、設定変更が可能な状態とならないように構成されており、
前記所定のスイッチが第２の状態である場合は、設定変更が可能な状態となる場合を有するように構成されており、
前記入力ポートの所定のビットに「Ｌ」を示す値が入力されている場合は、設定変更が可能な状態とならないように構成されており、
前記入力ポートの前記所定のビットに「Ｈ」を示す値が入力されている場合は、設定変更が可能な状態となる場合を有するように構成されており、
前記所定のスイッチと前記基板とが電気的に接続されており、前記所定のスイッチが前記第１の状態である場合には、前記基板の前記第１信号線を流れる電圧の状態が「Ｈ」となり、かつ前記基板の前記第２信号線を流れる電圧の状態が「Ｌ」となり、前記基板の前記第１信号線を流れる電圧の状態である「Ｈ」と前記基板の前記第２信号線を流れる電圧の状態である「Ｌ」とが論理演算され、当該論理演算の結果が「Ｌ」となり、前記基板の前記第３信号線を介して前記入力ポートの前記所定のビットに「Ｌ」を示す値が入力され、
前記所定のスイッチと前記基板とが電気的に接続されており、前記所定のスイッチが前記第２の状態である場合には、前記基板の前記第１信号線を流れる電圧の状態が「Ｌ」となり、かつ前記基板の前記第２信号線を流れる電圧の状態が「Ｈ」となり、前記基板の前記第１信号線を流れる電圧の状態である「Ｌ」と前記基板の前記第２信号線を流れる電圧の状態である「Ｈ」とが論理演算され、当該論理演算の結果が「Ｈ」となり、前記基板の前記第３信号線を介して前記入力ポートの前記所定のビットに「Ｈ」を示す値が入力され、
前記所定のスイッチと前記基板とが電気的に接続されていない場合には、前記基板の前記第１信号線を流れる電圧の状態が「Ｈ」となり、前記基板の前記第２信号線を流れる電圧の状態が「Ｈ」となり、前記基板の前記第１信号線を流れる電圧の状態である「Ｈ」と前記基板の前記第２信号線を流れる電圧の状態である「Ｈ」とが論理演算され、当該論理演算の結果が「Ｌ」となり、前記基板の前記第３信号線を介して前記入力ポートの前記所定のビットに「Ｌ」を示す値が入力される
ことを特徴とする遊技機。
【手続補正２】
【補正対象書類名】明細書
【補正対象項目名】０００６
【補正方法】変更
【補正の内容】
【０００６】
本発明は、以下の解決手段によって上述の課題を解決する。なお、かっこ書きで、対応する実施形態の構成を示す。
請求項１の発明（第１実施形態）は、
基板（メイン制御基板５０）と、
所定のスイッチ（設定キースイッチ７２）と
を備え、
前記基板は、第１信号線（設定キースイッチ１信号に係る信号線）と、第２信号線（設定キースイッチ２信号に係る信号線）と、第３信号線（設定キースイッチ信号に係る信号線）と、入力ポート（５１）と、を少なくとも有し、
前記所定のスイッチは、第１接点（接点７２ａ）と、第２接点（接点７２ｂ）と、を少なくとも有し、
前記所定のスイッチの前記第１接点と前記基板の前記第１信号線とは電気的に接続可能となるよう構成されており、
前記所定のスイッチの前記第２接点と前記基板の前記第２信号線とは電気的に接続可能となるよう構成されており、
前記所定のスイッチが第１の状態（オフ）である場合は、設定変更が可能な状態とならないように構成されており、
前記所定のスイッチが第２の状態（オン）である場合は、設定変更が可能な状態となる場合を有するように構成されており、
前記入力ポートの所定のビット（設定キースイッチ信号が入力されるビット）に「Ｌ」を示す値が入力されている場合は、設定変更が可能な状態とならないように構成されており、
前記入力ポートの前記所定のビットに「Ｈ」を示す値が入力されている場合は、設定変更が可能な状態となる場合を有するように構成されており、
前記所定のスイッチと前記基板とが電気的に接続されており、前記所定のスイッチが前記第１の状態である場合には、前記基板の前記第１信号線を流れる電圧の状態が「Ｈ」となり、かつ前記基板の前記第２信号線を流れる電圧の状態が「Ｌ」となり、前記基板の前記第１信号線を流れる電圧の状態である「Ｈ」と前記基板の前記第２信号線を流れる電圧の状態である「Ｌ」とが論理演算され、当該論理演算の結果が「Ｌ」となり、前記基板の前記第３信号線を介して前記入力ポートの前記所定のビットに「Ｌ」を示す値が入力され（図５中、「設定キーオフ時」）、
前記所定のスイッチと前記基板とが電気的に接続されており、前記所定のスイッチが前記第２の状態である場合には、前記基板の前記第１信号線を流れる電圧の状態が「Ｌ」となり、かつ前記基板の前記第２信号線を流れる電圧の状態が「Ｈ」となり、前記基板の前記第１信号線を流れる電圧の状態である「Ｌ」と前記基板の前記第２信号線を流れる電圧の状態である「Ｈ」とが論理演算され、当該論理演算の結果が「Ｈ」となり、前記基板の前記第３信号線を介して前記入力ポートの前記所定のビットに「Ｈ」を示す値が入力され（図５中、「設定キーオン時」）、
前記所定のスイッチと前記基板とが電気的に接続されていない場合（コネクタ抜去時）には、前記基板の前記第１信号線を流れる電圧の状態が「Ｈ」となり、前記基板の前記第２信号線を流れる電圧の状態が「Ｈ」となり、前記基板の前記第１信号線を流れる電圧の状態である「Ｈ」と前記基板の前記第２信号線を流れる電圧の状態である「Ｈ」とが論理演算され、当該論理演算の結果が「Ｌ」となり、前記基板の前記第３信号線を介して前記入力ポートの前記所定のビットに「Ｌ」を示す値が入力される（図５中、「コネクタ抜去時」）
ことを特徴とする。
【手続補正３】
【補正対象書類名】明細書
【補正対象項目名】０００７
【補正方法】変更
【補正の内容】
【０００７】
本発明によれば、基板と所定のスイッチとの電気的接続を解除しても、入力ポートに「Ｈ」が入力されないので、不正操作により設定変更モードとしないようにすることができる。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
遊技者が知覚可能な情報を出力する出力手段と、
前記出力手段を制御する制御手段と、
前記情報の出力強度を調節するための操作が可能な操作手段と、を備え、
前記制御手段が前記出力手段を制御して出力させる情報には、第１情報と、第２情報と、が含まれており、
前記第１情報には、音声から構成される第１音情報が含まれており、前記第２情報には、音声から構成される第２音情報が含まれており、前記第１音情報及び前記第２音情報の強度は、音量であり、
前記第２音情報の強度は、前記操作手段の操作によって第１強度又は第２強度に調節が可能であって、前記第１音情報は、前記操作手段の操作によって前記第２音情報の強度が調節されている場合であっても前記第２強度以上の強度にて出力され、前記第１音情報の出力終了条件が成立した後、前記第２音情報は、前記第２強度にて出力され、
前記第１情報には、光から構成される第１光情報が含まれており、前記第２情報には、光から構成される第２光情報が含まれており、前記第１光情報及び前記第２光情報の強度は、光量であり、
前記第２光情報の強度は、前記操作手段の操作によって第３強度又は第４強度に調節が可能であって、前記第１光情報は、前記操作手段の操作によって前記第２光情報の強度が調節されている場合であっても前記第４強度以上の強度にて出力され、前記第１光情報の出力終了条件が成立した後、前記第２光情報は、前記第４強度にて出力されることを特徴とする遊技機。
【手続補正２】
【補正対象書類名】明細書
【補正対象項目名】０００７
【補正方法】変更
【補正の内容】
【０００７】
上記課題を解決する遊技機は、遊技者が知覚可能な情報を出力する出力手段と、前記出力手段を制御する制御手段と、前記情報の出力強度を調節するための操作が可能な操作手段と、を備え、前記制御手段が前記出力手段を制御して出力させる情報には、第１情報と、第２情報と、が含まれており、前記第１情報には、音声から構成される第１音情報が含まれており、前記第２情報には、音声から構成される第２音情報が含まれており、前記第１音情報及び前記第２音情報の強度は、音量であり、前記第２音情報の強度は、前記操作手段の操作によって第１強度又は第２強度に調節が可能であって、前記第１音情報は、前記操作手段の操作によって前記第２音情報の強度が調節されている場合であっても前記第２強度以上の強度にて出力され、前記第１音情報の出力終了条件が成立した後、前記第２音情報は、前記第２強度にて出力され、前記第１情報には、光から構成される第１光情報が含まれており、前記第２情報には、光から構成される第２光情報が含まれており、前記第１光情報及び前記第２光情報の強度は、光量であり、前記第２光情報の強度は、前記操作手段の操作によって第３強度又は第４強度に調節が可能であって、前記第１光情報は、前記操作手段の操作によって前記第２光情報の強度が調節されている場合であっても前記第４強度以上の強度にて出力され、前記第１光情報の出力終了条件が成立した後、前記第２光情報は、前記第４強度にて出力されることを要旨とする。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
前記遊技領域に向けて、遊技者の発射操作に応じて所定の発射間隔で遊技球を発射可能な発射手段と、
利益を付与する利益付与手段と、
閉鎖状態と開放状態とに変化可能な可変入賞手段と、
前記可変入賞手段に入球した遊技球が通過することによって特別利益を付与することが可能な特定領域と、
を備え、
前記可変入賞手段は、
前記利益付与手段により前記利益が付与された場合、前記所定の発射間隔よりも短い期間において前記開放状態に変化させた後に前記所定の発射間隔よりも長い期間において前記閉鎖状態へ変化させる態様を複数回実行する特殊開放態様を実行可能であり、
前記特殊開放態様を実行した場合、一回の前記利益において前記可変入賞手段に予め定められている最大入賞数の遊技球を入球させることが可能であり、
前記特殊開放態様を実行することによって前記特定領域へ遊技球を通過させて前記特別利益を付与する
ことを特徴とする遊技機。
【手続補正２】
【補正対象書類名】明細書
【補正対象項目名】０００７
【補正方法】変更
【補正の内容】
【０００７】
上記課題を解決するために、本願発明は、
遊技球が流下可能な遊技領域と、
前記遊技領域に向けて、遊技者の発射操作に応じて所定の発射間隔で遊技球を発射可能な発射手段と、
利益を付与する利益付与手段と、
閉鎖状態と開放状態とに変化可能な可変入賞手段と、
前記可変入賞手段に入球した遊技球が通過することによって特別利益を付与することが可能な特定領域と、
を備え、
前記可変入賞手段は、
前記利益付与手段により前記利益が付与された場合、前記所定の発射間隔よりも短い期間において前記開放状態に変化させた後に前記所定の発射間隔よりも長い期間において前記閉鎖状態へ変化させる態様を複数回実行する特殊開放態様を実行可能であり、
前記特殊開放態様を実行した場合、一回の前記利益において前記可変入賞手段に予め定められている最大入賞数の遊技球を入球させることが可能であり、
前記特殊開放態様を実行することによって前記特定領域へ遊技球を通過させて前記特別利益を付与する
ことを特徴とする遊技機。
また、上記発明とは別に以下の手段を採用してもよい。
手段１：所定の遊技条件が満たされたときに賞が獲得可能とされる遊技機であって、
遊技領域に対して所定時間毎に遊技媒体が順次打ち込まれるように発射可能な発射手段と、
前記遊技領域のうち特定の転動領域内にある遊技媒体の受け入れを許容する第１状態と、該遊技媒体の受け入れを許容しない第２状態との間で動作可能な入賞口手段と、
前記特定の転動領域内における遊技媒体の転動方向の長さをＬ、前記発射手段による遊技媒体の発射間隔の時間をＴとし、且つ前記発射手段によって「Ｔ」の時間間隔で前記遊技領域に打ち込まれたＮ個の遊技媒体の全てが前記特定の転動領域へと供給されたとするとき、前記特定の転動領域でのそれら遊技媒体の平均速度が「Ｌ／２Ｔ」未満となるように前記遊技領域に打ち込まれたＮ個の遊技媒体とそれぞれ関わり合う構造体として形成されてなる特殊構造体手段と
を備え、
前記特定の転動領域を転動するように前記「２Ｔ」よりも長い時間にわたって遊技媒体が打ち込まれている場合に前記第２状態にされている前記入賞口手段が前記第１状態に動作すると、該第１状態に動作した際に複数の遊技媒体の受け入れを可能とした
ことを特徴とする遊技機。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御可能な遊技機であって、
画像を表示可能な表示手段と、
遊技者の動作を検出可能な検出手段と、
遊技者が演出に関する演出設定を行うことが可能な演出設定手段と、
を備え、
第１状態では、遊技者の動作に関わらず前記調整状況に関する表示を視認可能に表示し、
前記第１状態とは異なる状態であって所定演出を実行する第２状態では、前記調整状況に関する表示を視認困難または視認不可能とし、遊技者の動作に基づいて、前記調整状況に関する表示を遊技者の動作を検出してから所定期間が経過するまで表示可能であり、
前記第１状態で遊技者の動作が検出された場合には、前記所定期間が経過しても、前記調整状況に関する表示を継続し、
前記第１状態及び前記第２状態において、前記調整状況に関する表示を表示する領域は共通する
ことを特徴とする遊技機。
【手続補正２】
【補正対象書類名】明細書
【補正対象項目名】０００６
【補正方法】変更
【補正の内容】
【０００６】
上記特許文献１、２のような遊技機では、遊技に関する演出調整が可能であるが、遊技興趣を向上させる点より、演出効果の低下を抑制しつつ、遊技者の要望に応じた適切な演出調整が求められるようになってきている。
【手続補正３】
【補正対象書類名】明細書
【補正対象項目名】０００７
【補正方法】変更
【補正の内容】
【０００７】
本発明は、このような問題点に着目してなされたもので、演出効果の低下を抑制しつつ、遊技者の要望に応じて演出調整の調整状況を表示することができ、遊技興趣を向上させることができる遊技機を提供することを目的とする。
【手続補正４】
【補正対象書類名】明細書
【補正対象項目名】０００８
【補正方法】変更
【補正の内容】
【０００８】
上記課題を解決するために、手段Ａの遊技機は、
変動表示を行い、遊技者にとって有利な有利状態に制御可能な遊技機であって、
画像を表示可能な表示手段と、
遊技者の動作を検出可能な検出手段と、
遊技者が演出に関する演出設定を行うことが可能な演出設定手段と、
を備え、
第１状態では、遊技者の動作に関わらず前記調整状況に関する表示を視認可能に表示し、
前記第１状態とは異なる状態であって所定演出を実行する第２状態では、前記調整状況に関する表示を視認困難または視認不可能とし、遊技者の動作に基づいて、前記調整状況に関する表示を遊技者の動作を検出してから所定期間が経過するまで表示可能であり、
前記第１状態で遊技者の動作が検出された場合には、前記所定期間が経過しても、前記調整状況に関する表示を継続し、
前記第１状態及び前記第２状態において、前記調整状況に関する表示を表示する領域は共通する
ことを特徴としている。
また、上記課題を解決するために、手段１の遊技機は、
遊技が可能な遊技機（例えば、パチンコ遊技機１）であって、
装飾手段（例えば、ロゴパネル４００）と、
画像を表示可能な表示手段（例えば、演出表示装置５）と、
前記装飾手段とは異なる装飾が施され動作可能な可動体（例えば、可動演出装置３００の可動体３０１Ｌ，３０１Ｒ）と、
前記表示手段に前記装飾手段に関連する態様の特定画像を移動表示させる特定演出を実行可能な特定演出実行手段（例えば、図５（Ｄ）に示すように、演出制御用ＣＰＵ１２０が、演出表示装置５の表示領域５Ａに、ロゴパネル４００に関連する態様の画像としてパネル画像Ｚを下方へ向けて移動表示させるパネル表示演出を実行可能である部分）と、
を備える
ことを特徴としている。
この特徴によれば、装飾手段と表示手段とを用いた演出の演出効果を向上させることができる。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御可能な遊技機であって、
画像を表示可能な表示手段と、
遊技者の動作を検出可能な検出手段と、
遊技者が演出に関する演出設定を行うことが可能な演出設定手段と、
を備え、
未だ開始されていない変動表示に関する情報である保留記憶に対応した表示を保留表示として表示可能であるともに、前記演出設定の際に該演出設定による調整状況に関する表示を表示可能であり、
前記調整状況に関する表示と前記保留表示とが重複することはなく、
第１状態では、遊技者の動作に関わらず前記調整状況に関する表示を視認可能に表示し、
前記第１状態とは異なる状態であって所定演出を実行する第２状態では、前記調整状況に関する表示を視認困難または視認不可能とし、遊技者の動作に基づいて、前記調整状況に関する表示を遊技者の動作を検出してから所定期間が経過するまで表示可能であり、
前記第１状態で遊技者の動作が検出された場合には、前記所定期間が経過しても、前記調整状況に関する表示を継続する
ことを特徴とする遊技機。
【手続補正２】
【補正対象書類名】明細書
【補正対象項目名】０００６
【補正方法】変更
【補正の内容】
【０００６】
上記特許文献１、２のような遊技機では、遊技に関する演出調整が可能であるが、遊技興趣を向上させる点より、演出効果の低下を抑制しつつ、遊技者の要望に応じた適切な演出調整が求められるようになってきている。
【手続補正３】
【補正対象書類名】明細書
【補正対象項目名】０００７
【補正方法】変更
【補正の内容】
【０００７】
本発明は、このような問題点に着目してなされたもので、演出効果の低下を抑制しつつ、遊技者の要望に応じて演出調整の調整状況を表示することができ、遊技興趣を向上させることができる遊技機を提供することを目的とする。
【手続補正４】
【補正対象書類名】明細書
【補正対象項目名】０００８
【補正方法】変更
【補正の内容】
【０００８】
上記課題を解決するために、手段Ａの遊技機は、
変動表示を行い、遊技者にとって有利な有利状態に制御可能な遊技機であって、
画像を表示可能な表示手段と、
遊技者の動作を検出可能な検出手段と、
遊技者が演出に関する演出設定を行うことが可能な演出設定手段と、
を備え、
未だ開始されていない変動表示に関する情報である保留記憶に対応した表示を保留表示として表示可能であるともに、前記演出設定の際に該演出設定による調整状況に関する表示を表示可能であり、
前記調整状況に関する表示と前記保留表示とが重複することはなく、
第１状態では、遊技者の動作に関わらず前記調整状況に関する表示を視認可能に表示し、
前記第１状態とは異なる状態であって所定演出を実行する第２状態では、前記調整状況に関する表示を視認困難または視認不可能とし、遊技者の動作に基づいて、前記調整状況に関する表示を遊技者の動作を検出してから所定期間が経過するまで表示可能であり、
前記第１状態で遊技者の動作が検出された場合には、前記所定期間が経過しても、前記調整状況に関する表示を継続する
ことを特徴としている。
また、上記課題を解決するために、手段１の遊技機は、
遊技が可能な遊技機（例えば、パチンコ遊技機１）であって、
装飾手段（例えば、ロゴパネル４００）と、
画像を表示可能な表示手段（例えば、演出表示装置５）と、
前記表示手段に前記装飾手段に関連する態様の特定画像を移動表示させる特定演出を実
行可能な特定演出実行手段（例えば、図５（Ｄ）に示すように、演出制御用ＣＰＵ１２０
が、演出表示装置５の表示領域５Ａに、ロゴパネル４００に関連する態様の画像としてパ
ネル画像Ｚを下方へ向けて移動表示させるパネル表示演出を実行可能である部分）と、
を備える
ことを特徴としている。
この特徴によれば、装飾手段と表示手段とを用いた演出の演出効果を向上させることが
できる。
【手続補正書】
【提出日】令和1年7月2日(2019.7.2)
【手続補正１】
【補正対象書類名】明細書
【補正対象項目名】００２６
【補正方法】変更
【補正の内容】
【００２６】
また、試料の測定を行っている測定ブロック１０以外の測定ブロック２０〜６０では、オートサンプラ７０から試料を導入して前処理カラム２９に吸着させる処理や、液体容器９４に収容され送液ポンプ９５により送液される洗浄液によりオートランプラ７０から各測定ブロック２０への試料の導入流路を洗浄する処理等を行うこともできる。ただし、本実施例の構成では試料の導入に測定ブロック１０〜６０に共通の流路を用いるため、試料を導入する処理や、試料の導入に使用する流路の洗浄は、待機測定ブロック２０〜６０のいずれか１つにおいてのみ実行可能である。もちろん、各測定ブロック１０〜６０にそれぞれ試料を導入するための流路を設けるように構成してもよい。
【手続補正２】
【補正対象書類名】図面
【補正対象項目名】図４
【補正方法】変更
【補正の内容】
【図４】
2018169350.tif 000001
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
異常な染色体及び正常な染色体のうちの少なくとも一方から取得されたスペクトルキューブデータに含まれる前記染色体の特徴を表す特徴情報を用いて構築された異常判定処理を実行する異常判定処理部と、
判定対象の染色体の前記スペクトルキューブデータを取得するデータ取得部と、
を有し、
前記スペクトルキューブデータは染色された染色体上の各点における分光スペクトルであって、
前記異常判定処理部は、
前記データ取得部により取得された前記判定対象の染色体の前記スペクトルキューブデータに含まれる前記特徴情報を入力し、当該特徴情報を用いて前記判定対象の染色体に対する前記異常判定処理を実行することを特徴とする染色体異常判定装置。
【請求項２】
前記異常判定処理部は、
前記異常判定処理として、前記判定対象の染色体の前記スペクトルキューブデータに含まれる前記特徴情報と、異常な染色体及び正常な染色体のうちの少なくとも一方の前記スペクトルキューブデータに含まれる前記特徴情報とを照合する処理を実行することを特徴とする請求項１に記載の染色体異常判定装置。
【請求項３】
前記異常判定処理部は、
前記異常判定処理として、前記異常な染色体及び正常な染色体のうちの少なくとも一方の前記スペクトルキューブデータに含まれる前記特徴情報と当該特徴情報を有する染色体が正常であるか否かを表す情報とに基づき決定される異常判定パラメータを用いてモデル学習を行うことにより構築された処理を実行することを特徴とする請求項１に記載の染色体異常判定装置。
【請求項４】
前記異常判定処理部は、
前記異常判定処理として、異常な染色体の前記スペクトルキューブデータに含まれる前記特徴情報を複数含む特徴情報群と、正常な染色体の前記スペクトルキューブデータに含まれる前記特徴情報を複数含む特徴情報群とに対して個別に機械学習を行うことで構築されたニューラルネットワークモデルを用いた処理を実行することを特徴とする請求項１に記載の染色体異常判定装置。
【請求項５】
前記異常判定処理部は、
異常な染色体及び正常な染色体のうちの少なくとも一方の前記スペクトルキューブデータに含まれる前記特徴情報と当該特徴情報を有する染色体が正常であるか否かを表す情報とに対して機械学習を行うことで構築されたニューラルネットワークモデルを用いた処理を実行することを特徴とする請求項１に記載の染色体異常判定装置。
【請求項６】
前記スペクトルキューブデータは、前記染色された染色体を透過又は反射した光の前記染色体上の各点における分光スペクトルである請求項１から請求項５のいずれか一項に記載の染色体異常判定装置。
【請求項７】
前記スペクトルキューブデータのうちの、前記染色された染色体の濃淡と当該染色された染色体を透過又は反射した光量との特性に応じて予め選択された波長を含む波長域におけるデータを用いて前記特徴情報を抽出する特徴情報抽出部を備えることを特徴とする請求項６に記載の染色体異常判定装置。
【請求項８】
異常な染色体及び正常な染色体のうちの少なくとも一方の前記スペクトルキューブデータに含まれる前記特徴情報と当該特徴情報を有する染色体が異常であるか否かを表す情報とが格納されるデータベースと、
前記異常判定処理部に入力された前記特徴情報と当該特徴情報に対する前記異常判定処理部での判定結果とを前記データベースに格納するデータベース作成部を備えることを特徴とする請求項１から請求項７のいずれか一項に記載の染色体異常判定装置。
【請求項９】
前記データベースに格納された前記特徴情報及び前記判定結果に基づいて前記異常判定処理を構築する異常判定処理構築部を備えることを特徴とする請求項８に記載の染色体異常判定装置。
【手続補正２】
【補正対象書類名】明細書
【補正対象項目名】０００７
【補正方法】変更
【補正の内容】
【０００７】
本発明の一態様によれば、異常な染色体及び正常な染色体のうちの少なくとも一方から取得されたスペクトルキューブデータに含まれる染色体の特徴を表す特徴情報を用いて構築された異常判定処理を実行する異常判定処理部と、判定対象の染色体の前記スペクトルキューブデータを取得するデータ取得部と、を有し、スペクトルキューブデータは染色された染色体上の各点における分光スペクトルであって、異常判定処理部は、データ取得部により取得された染色された判定対象の染色体のスペクトルキューブデータに含まれる特徴情報を入力し、特徴情報を用いて判定対象の染色体に対する異常判定処理を実行することを特徴とする染色体異常判定装置、が提供される。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
作業機械の原動機によって駆動されタンクから作動油を吸込んで圧油を吐出するメインの油圧ポンプおよびパイロットポンプと、
前記作業機械に設けられ、前記油圧ポンプから供給される圧油によって駆動される油圧アクチュエータと、
前記油圧ポンプと前記油圧アクチュエータとの間に設けられ、前記パイロットポンプからのパイロット圧が油圧パイロット部に供給されることにより前記油圧アクチュエータへの圧油の供給を制御する制御弁と、
前記制御弁を切換操作して前記油圧アクチュエータの作動を制御するため外部からの操作に従って電気信号を出力する電気式操作装置と、
前記電気式操作装置からの前記電気信号に従って前記制御弁の油圧パイロット部に供給する前記パイロット圧を可変に制御するパイロット圧制御装置と、
が備えられた作業機械用油圧制御装置において、
前記パイロット圧制御装置は、
前記パイロットポンプの吐出側に接続されるパイロット圧供給管路と、
前記タンクに接続されるタンク管路と、
前記パイロット圧供給管路に接続される第１ポンプポート、前記タンク管路に接続される第１タンクポートおよび前記制御弁の油圧パイロット部に接続される第１出力ポートを有し、前記電気信号に従って前記第１出力ポートを前記第１ポンプポートまたは第１タンクポートに選択的に接続し前記制御弁の切換制御を行う第１電磁弁と、
前記パイロット圧供給管路に接続される第２ポンプポート、前記タンク管路に接続される第２タンクポートおよび第２出力ポートを有し、前記電気信号に従って前記第２出力ポートを前記第２ポンプポートまたは第２タンクポートに選択的に接続する第２電磁弁と、
を含んで構成され、
前記第２電磁弁は、前記パイロット圧制御装置内を流通する作動油の油温を上昇させるため前記第２ポンプポートから前記第２出力ポートに流れる圧油が前記タンク管路に還流される構成とし、
前記第２電磁弁の前記第２出力ポートと前記タンク管路との間には、前記タンク管路に還流される戻り油の流量を制限する固定絞りが設けられていることを特徴とする作業機械用油圧制御装置。
【請求項２】
前記タンク管路から前記タンクへと戻される戻り油の温度を検出する温度センサと、
前記第１電磁弁の第１出力ポートと前記制御弁の油圧パイロット部との間に設けられ前記パイロット圧を検出する圧力センサと、
前記原動機の駆動情報、前記電気式操作装置からの電気信号、前記温度センサおよび圧力センサからの検出信号に従って前記第１，第２電磁弁を制御するコントローラと、が備えられていることを特徴とする請求項１に記載の作業機械用油圧制御装置。
【請求項３】
前記パイロット圧制御装置は、前記第１，第２電磁弁の間で前記作動油の油温上昇による熱が伝えられる共通の弁ハウジングを有していることを特徴とする請求項１に記載の作業機械用油圧制御装置。
【請求項４】
前記パイロット圧制御装置は、前記第１，第２電磁弁と前記固定絞りとの間で前記作動油の油温上昇による熱が伝えられる共通の弁ハウジングを有していることを特徴とする請求項１に記載の作業機械用油圧制御装置。
【手続補正２】
【補正対象書類名】明細書
【補正対象項目名】００１１
【補正方法】変更
【補正の内容】
【００１１】
そして、本発明が採用する構成の特徴は、前記パイロット圧制御装置は、前記パイロットポンプの吐出側に接続されるパイロット圧供給管路と、前記タンクに接続されるタンク管路と、前記パイロット圧供給管路に接続される第１ポンプポート、前記タンク管路に接続される第１タンクポートおよび前記制御弁の油圧パイロット部に接続される第１出力ポートを有し、前記電気信号に従って前記第１出力ポートを前記第１ポンプポートまたは第１タンクポートに選択的に接続し前記制御弁の切換制御を行う第１電磁弁と、前記パイロット圧供給管路に接続される第２ポンプポート、前記タンク管路に接続される第２タンクポートおよび第２出力ポートを有し、前記電気信号に従って前記第２出力ポートを前記第２ポンプポートまたは第２タンクポートに選択的に接続する第２電磁弁と、を含んで構成され、前記第２電磁弁は、前記パイロット圧制御装置内を流通する作動油の油温を上昇させるため前記第２ポンプポートから前記第２出力ポートに流れる圧油が前記タンク管路に還流される構成とし、前記第２電磁弁の前記第２出力ポートと前記タンク管路との間には、前記タンク管路に還流される戻り油の流量を制限する固定絞りが設けられていることにある。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
前面に開口する貯蔵室が形成されたキャビネットと、前記貯蔵室の前面開口部の左右両側に回転自在に枢支されて前記前面開口部を閉塞する観音開き式の扉と、前記扉の貯蔵室側周縁部に設けられたガスケットと、前記扉のうちの一方の扉の反枢支側に取り付けられ開閉扉動作に応じて回動することで前記ガスケットに当接して前記扉の間を閉塞する回動仕切体と、を備える冷蔵庫において、
前記回動仕切体は、前記ガスケットに当接する仕切板と、前記仕切板の後方を覆う仕切カバーと、前記仕切板の背面に設けられた加熱体とを備え、
前記仕切板は、金属材料からなる金属部と樹脂材料からなる樹脂部とを備え、
前記加熱体は、前記金属部を加熱する冷蔵庫。
【請求項２】
前面に開口する貯蔵室が形成されたキャビネットと、前記貯蔵室の前面開口部の左右両側に回転自在に枢支されて前記前面開口部を閉塞する観音開き式の扉と、前記扉の貯蔵室側周縁部に設けられたガスケットと、前記扉のうちの一方の扉の反枢支側に取り付けられ開閉扉動作に応じて回動することで前記ガスケットに当接して前記扉の間を閉塞する回動仕切体と、を備える冷蔵庫において、
前記回動仕切体は、仕切板と、前記仕切板の後方を覆う仕切カバーと、前記仕切板の背面に設けられ前記仕切板を加熱する加熱体とを備え、
前記仕切板は、前記ガスケットに当接する基部と、前記基部に設けられた開口部と、前記基部と熱伝導率の異なる材料からなる蓋体とを備え、
前記蓋体は、前記開口部を閉塞する閉塞部と、前記閉塞部の背面に設けられ前記開口部の周縁部に係止して前記閉塞部を前記開口部に固定する係止部とを備え、前記係止部の内方に前記基部が設けられていない冷蔵庫。
【請求項３】
前記加熱体は、前記基部及び前記蓋体のうち熱伝導率の高い材料からなる部材の背面に設けられている請求項２に記載の冷蔵庫。
【手続補正２】
【補正対象書類名】明細書
【補正対象項目名】０００５
【補正方法】変更
【補正の内容】
【０００５】
一実施形態の冷蔵庫は、前面に開口する貯蔵室が形成されたキャビネットと、前記貯蔵室の前面開口部の左右両側に回転自在に枢支されて前記前面開口部を閉塞する観音開き式の扉と、前記扉の貯蔵室側周縁部に設けられたガスケットと、前記扉のうちの一方の扉の反枢支側に取り付けられ開閉扉動作に応じて回動することで前記ガスケットに当接して前記扉の間を閉塞する回動仕切体と、を備える冷蔵庫において、前記回動仕切体は、前記ガスケットに当接する仕切板と、前記仕切板の後方を覆う仕切カバーと、前記仕切板の背面に設けられた加熱体とを備え、前記仕切板は、金属材料からなる金属部と樹脂材料からなる樹脂部とを備え、前記加熱体は、前記金属部を加熱するものである。
他の実施形態の冷蔵庫は、前面に開口する貯蔵室が形成されたキャビネットと、前記貯蔵室の前面開口部の左右両側に回転自在に枢支されて前記前面開口部を閉塞する観音開き式の扉と、前記扉の貯蔵室側周縁部に設けられたガスケットと、前記扉のうちの一方の扉の反枢支側に取り付けられ開閉扉動作に応じて回動することで前記ガスケットに当接して前記扉の間を閉塞する回動仕切体と、を備える冷蔵庫において、前記回動仕切体は、仕切板と、前記仕切板の後方を覆う仕切カバーと、前記仕切板の背面に設けられ前記仕切板を加熱する加熱体とを備え、前記仕切板は、前記ガスケットに当接する基部と、前記基部に設けられた開口部と、前記基部と熱伝導率の異なる材料からなる蓋体とを備え、前記蓋体は、前記開口部を閉塞する閉塞部と、前記閉塞部の背面に設けられ前記開口部の周縁部に係止して前記閉塞部を前記開口部に固定する係止部とを備え、前記係止部の内方に前記基部が設けられていないものである。
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
芯材と、前記芯材を収容した状態で内部が減圧密封される第１袋体と、内部が減圧密封された前記第１袋体を収容した状態で内部が減圧密封される第２袋体とを備え、前記第１袋体と前記第２袋体とが接着層を介して接着されている真空断熱パネル。
【請求項２】
ホットメルト型の熱接着性シートにより前記第１袋体と前記第２袋体が接着されている請求項１に記載の真空断熱パネル。
【請求項３】
前記第１袋体を折り返す折返し部を備え、
前記接着層を折返し部とは重ならない位置に設けた請求項１または２に記載の真空断熱パネル。
【請求項４】
前記第1袋体は、外側に設けられた表面保護層を含む複数の層を積層してなり、
前記表面保護層が、熱溶着可能な材料で構成されている請求項１〜３のいずれか1項に記載の真空断熱パネル。
【請求項５】
前記第１袋体を折返し前記第１袋体の外面に重ねられた第１折返し部と、前記第１折返し部を外側から覆うように前記第２袋体を折返した第２折返し部とを備える請求項１〜４のいずれか１項に記載の真空断熱パネル。
【手続補正２】
【補正対象書類名】明細書
【補正対象項目名】発明の名称
【補正方法】変更
【補正の内容】
【発明の名称】真空断熱パネル
【手続補正３】
【補正対象書類名】明細書
【補正対象項目名】０００７
【補正方法】変更
【補正の内容】
【０００７】
本実施形態の真空断熱パネルは、芯材と、前記芯材を収容した状態で内部が減圧密封される第１袋体と、内部が減圧密封された前記第１袋体を収容した状態で内部が減圧密封される第２袋体とを備え、前記第１袋体と前記第２袋体とが接着層を介して接着されているものである。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
内箱と、外箱と、前記内箱及び前記外箱の間に形成された断熱空間に設けられた断熱材とを有し、前記内箱の内側に冷却器室が形成され前記外箱の外側に機械室が形成されたキャビネットと、
前記冷却器室に設けられた第１冷却器及び第２冷却器と、前記機械室に設けられた圧縮機と、前記第１冷却器から流れ出た冷媒を前記圧縮機に戻す第１サクションパイプと、前記第２冷却器から流れ出た冷媒を前記圧縮機に戻す第２サクションパイプとを有し、前記キャビネットに組み込まれる冷凍サイクルと、を備え、
前記第１サクションパイプ及び前記第２サクションパイプが、前記冷却器室から前記断熱空間へ進入し前記断熱空間を通って前記圧縮機に接続されている冷蔵庫において、
前記キャビネットの左右一方の側壁と背壁とで形成された前記断熱空間の第１角部と、前記キャビネットの左右他方の側壁と背壁とで形成された前記断熱空間の第２角部とを有し、
前記第１サクションパイプは、前記第１角部及び前記第２角部を通って前記機械室の左右他方側へ進入し、
前記第２サクションパイプは、前記第２角部において上下に折り返され前記機械室の左右他方側へ進入する冷蔵庫。
【請求項２】
内箱と、外箱と、前記内箱及び前記外箱の間に形成された断熱空間に設けられた断熱材とを有し、前記内箱の内側に冷却器室が形成され前記外箱の外側に機械室が形成されたキャビネットと、
前記冷却器室に設けられた第１冷却器及び第２冷却器と、前記機械室に設けられた圧縮機と、前記第１冷却器から流れ出た冷媒を前記圧縮機に戻す第１サクションパイプと、前記第２冷却器から流れ出た冷媒を前記圧縮機に戻す第２サクションパイプとを有し、前記キャビネットに組み込まれる冷凍サイクルと、を備え、
前記第１サクションパイプ及び前記第２サクションパイプが、前記冷却器室から前記断熱空間へ進入し前記断熱空間を通って前記圧縮機に接続されている冷蔵庫において、
前記キャビネットの左右一方の側壁と背壁とで形成された前記断熱空間の第１角部と、前記キャビネットの左右他方の側壁と背壁とで形成された前記断熱空間の第２角部とを有し、
前記第１冷却器が前記第２冷却器より前記機械室から離れた位置に設けられ、
前記第１サクションパイプは、前記第１角部及び前記第２角部を通って前記機械室へ進入し、
前記第２サクションパイプは、前記第１角部又は前記第２角部のいずれか一方において上下に折り返され前記機械室へ進入する冷蔵庫。
【請求項３】
前記第１サクションパイプは、前記第１角部及び前記第２角部を通って前記機械室の左右他方側へ進入し、
前記第２サクションパイプは、前記第２角部において上下に折り返され前記機械室の左右他方側へ進入する請求項２に記載の冷蔵庫。
【請求項４】
前記第１角部に前記冷凍サイクルが有する冷却器の除霜水を前記外箱の外側へ排水する排水ホースが配設されている請求項１又は３に記載の冷蔵庫。
【請求項５】
前記第２サクションパイプは、上流側サクションパイプと、前記上流側サクションパイプより冷媒流れ方向下流側に位置する下流側サクションパイプとが、前記第１角部又は前記第２角部のいずれか一方において並走し、
前記上流側サクションパイプは、前記下流側サクションパイプより前記キャビネットの幅方向外方に設けられている請求項１〜４のいずれか１項に記載の冷蔵庫。
【手続補正２】
【補正対象書類名】明細書
【補正対象項目名】０００８
【補正方法】変更
【補正の内容】
【０００８】
本実施形態の冷蔵庫は、内箱と、外箱と、前記内箱及び前記外箱の間に形成された断熱空間に設けられた断熱材と有し、前記内箱の内側に冷却器室が形成され前記外箱の外側に機械室が形成されたキャビネットと、前記冷却器室に設けられた第1冷却器及び第２冷却器と、前記機械室に設けられた圧縮機と、前記第１冷却器から流れ出た冷媒を前記圧縮機に戻す第１サクションパイプと、前記第２冷却器から流れ出た冷媒を前記圧縮機に戻す第２サクションパイプとを有し、前記キャビネットに組み込まれる冷凍サイクルと、を備え、前記第１サクションパイプ及び前記第２サクションパイプが、前記冷却器室から前記断熱空間へ進入し前記断熱空間を通って前記圧縮機に接続されている冷蔵庫において、前記キャビネットの左右一方の側壁と背壁とで形成された前記断熱空間の第１角部と、前記キャビネットの左右他方の側壁と背壁とで形成された前記断熱空間の第２角部とを有し、前記第１サクションパイプは、前記第１角部及び前記第２角部を通って前記機械室の左右他方側へ進入し、前記第２サクションパイプは、前記第２角部において上下に折り返され前記機械室の左右他方側へ進入するものである。他の実施形態の冷蔵庫は、内箱と、外箱と、前記内箱及び前記外箱の間に形成された断熱空間に設けられた断熱材とを有し、前記内箱の内側に冷却器室が形成され前記外箱の外側に機械室が形成されたキャビネットと、前記冷却器室に設けられた第１冷却器及び第２冷却器と、前記機械室に設けられた圧縮機と、前記第１冷却器から流れ出た冷媒を前記圧縮機に戻す第１サクションパイプと、前記第２冷却器から流れ出た冷媒を前記圧縮機に戻す第２サクションパイプとを有し、前記キャビネットに組み込まれる冷凍サイクルと、を備え、前記第１サクションパイプ及び前記第２サクションパイプが、前記冷却器室から前記断熱空間へ進入し前記断熱空間を通って前記圧縮機に接続されている冷蔵庫において、前記第１冷却器が前記第２冷却器より前記機械室から離れた位置に設けられ、前記キャビネットの左右一方の側壁と背壁とで形成された前記断熱空間の第１角部と、前記キャビネットの左右他方の側壁と背壁とで形成された前記断熱空間の第２角部とを有し、前記第１サクションパイプは、前記第１角部及び前記第２角部を通って前記機械室へ進入し、前記第２サクションパイプは、前記第１角部又は前記第２角部のいずれか一方において上下に折り返され前記機械室へ進入するものである。
【手続補正書】
【提出日】平成31年3月25日(2019.3.25)
【手続補正１】
【補正対象書類名】明細書
【補正対象項目名】００４７
【補正方法】変更
【補正の内容】
【００４７】
図１１は、記憶部１３０に記憶されているデータの変化の一例を示す図である。本図の１段目は、“会議資料１.odt”を記憶部１３０に記憶した時点における操作画面Ｄ２を示している。本図の２段目は、１段目に示した状態から２時間が経過した状態を示している。この状態では、図中で点線で示すように、表示制御部１０４は、“会議資料１.odt”に関連付けられたアイコンを構成する色の明度を本図の１段目に示した状態から高くしている。本図の３段目は、２段目に示した状態から更に２時間が経過して、“会議資料１.odt”を記憶部１３０に記憶した時点から予め定められた時間である４時間が経過した状態であり、記憶部１３０から“会議資料１.odt”が削除され、“会議資料１.odt”に関連付けられたアイコンも操作画面Ｄ２上から削除されている。
【手続補正２】
【補正対象書類名】明細書
【補正対象項目名】００６９
【補正方法】変更
【補正の内容】
【００６９】
＜補足３＞
また、記憶制御部１０５は、上記の補足１や補足２に記載した処理で特定したページを示す表示画面が表示部１１０に表示された時間の総和を計数し、当該計数した時間の総和が予め定められた時間以上となった時に、データを記憶部１３０から削除させてもよい。ユーザーは、表示画面に示されたページをスクロールする（切り替える）ことで様々なページを閲覧する。この点、上記の処理を行うことで、ユーザーが様々なページを閲覧している間にデータ中の重要なページのトータルの閲覧時間が予め定められた時間以上となったタイミングでデータを削除することができる。
【手続補正３】
【補正対象書類名】明細書
【補正対象項目名】００７０
【補正方法】変更
【補正の内容】
【００７０】
＜補足４＞
また、記憶制御部１０５は、上記の補足１や補足２に記載した処理で特定した一つまたは複数のページを示す表示画面が表示部１１０に表示された時点から予め定められた時間が経過した時に、データ自体を記憶部１３０から削除させるのではなく、記憶部１３０に記憶された複数のページから構成されたデータの中から当該特定した１つまたは複数のページを削除させてもよい。すなわち、記憶制御部１０５は、記憶部１３０に記憶された複数のページから構成されたデータを、当該複数のページから上記特定した１つまたは複数のページを除いたデータに変更する処理を行う。
【手続補正４】
【補正対象書類名】明細書
【補正対象項目名】００７４
【補正方法】変更
【補正の内容】
【００７４】
実施形態６にかかる情報処理装置１０は、上記の図１８（Ａ）または図１８（Ｂ）に示す方法により、同じデータを記憶した他の情報処理装置１０を特定する処理を行い、当該特定した他の情報処理装置１０においてデータが削除された場合に、当該データを記憶部１３０から削除させる処理を行う。
【手続補正５】
【補正対象書類名】図面
【補正対象項目名】図５
【補正方法】変更
【補正の内容】
【図５】
2018169928.tif 000001
【手続補正６】
【補正対象書類名】図面
【補正対象項目名】図８
【補正方法】変更
【補正の内容】
【図８】
2018169928.tif 000002
【手続補正７】
【補正対象書類名】図面
【補正対象項目名】図１０
【補正方法】変更
【補正の内容】
【図１０】
2018169928.tif 000003
【手続補正８】
【補正対象書類名】図面
【補正対象項目名】図１５
【補正方法】変更
【補正の内容】
【図１５】
2018169928.tif 000004
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
複数の警備モードにより警備対象を警備する警備装置と、前記警備装置と通信可能な携帯端末と、を具備する警備システムであって、
前記警備装置は、
ユーザによる警備モードの切替操作に基づいて前記警備モードを切替え、当該切替結果を示すモード切替信号を前記携帯端末へ送信する警備モード制御手段を有し、
前記携帯端末は、
前記モード切替信号に基づく前記警備モードの切替設定に関するモード設定メッセージを少なくとも含む複数のメッセージを、チャット画面上に時系列に表示する表示制御手段を有し、
前記表示制御手段は、前記複数のメッセージのうち、前記警備装置に設定されている現在の警備モードへの切替設定に関するモード設定メッセージを強調表示する
警備システム。
【請求項２】
複数の警備モードにより警備対象を警備する警備装置と通信可能な携帯端末であって、
ユーザの切替操作により切替えられた前記警備モードの切替結果を示すモード切替信号を前記警備装置から受信する受信手段と、
前記モード切替信号に基づく前記警備モードの切替設定に関するモード設定メッセージを少なくとも含む複数のメッセージを、チャット画面上に時系列に表示する表示制御手段とを有し、
前記表示制御手段は、前記複数のメッセージのうち、前記警備装置に設定されている現在の警備モードへの切替設定に関するモード設定メッセージを強調表示する
携帯端末。
【請求項３】
請求項２に記載の携帯端末であって、
前記表示制御手段は、前記複数のメッセージのうち最新のモード設定メッセージを強調表示する
携帯端末。
【請求項４】
請求項３に記載の携帯端末であって、
前記表示制御手段は、前記最新のモード設定メッセージを前記チャット画面上に追加表示するとき、当該追加表示するモード設定メッセージを強調表示するとともに、それ以前のモード設定メッセージに対する強調表示を解除する
携帯端末。
【請求項５】
請求項２乃至４のいずれかに記載の携帯端末であって、
前記表示制御手段は、前記モード設定メッセージとして、前記現在の警備モードを示す情報と、前記切替操作を行ったユーザ及び時刻のうち少なくとも一方を含む操作情報とを前記チャット画面上に表示させる
携帯端末。
【請求項６】
請求項２乃至５のいずれかに記載の携帯端末であって、
前記ユーザによる前記警備モードの切替操作の入力を受け付ける操作入力手段と、
前記入力された切替操作に基づいて、前記警備装置へ前記警備モードの切替要求信号を送信する通信手段と、をさらに具備し、
前記表示制御手段は、前記モード設定メッセージとして、前記入力された切替操作を示すモード操作メッセージ、または、当該携帯端末または他の携帯端末から送信された前記切替要求信号に基づく前記警備モードの切替結果を示すモード切替メッセージを前記チャット画面上に表示する
携帯端末。
【請求項７】
請求項６に記載の携帯端末であって、
前記表示制御手段は、
前記ユーザの切替操作により前記現在の警備モードへ切替えられた場合、当該切替操作を示すモード操作メッセージを強調表示し、
他のユーザの切替操作により前記現在の警備モードへ切替えられた場合、当該切替操作に基づく前記警備モードの切替結果を示すモード切替メッセージを強調表示する
携帯端末。
【請求項８】
請求項２乃至７のいずれかに記載の携帯端末であって、
前記表示制御手段は、前記モード設定メッセージ以外の新たなメッセージが前記チャット画面上に追加表示されることで、前記強調表示するモード設定メッセージが当該チャット画面上の表示領域外となる場合、当該モード設定メッセージを、当該チャット画面上に表示されている他のメッセージに代えて前記チャット画面上の表示領域内に残存させる
携帯端末。
【請求項９】
複数の警備モードにより警備対象を警備する警備装置と通信可能な携帯端末に、
ユーザの切替操作により切替えられた前記警備モードの切替結果を示すモード切替信号を前記警備装置から受信する処理と、
前記モード切替信号に基づく前記警備モードの切替設定に関するモード設定メッセージを少なくとも含む複数のメッセージを、チャット画面上に時系列に表示する処理と、
前記複数のメッセージのうち、前記警備装置に設定されている現在の警備モードへの切替設定に関するモード設定メッセージを強調表示する処理と
を実行させるプログラム。
【請求項１０】
複数の警備モードにより警備対象を警備する警備装置と、前記警備装置と通信可能な携帯端末と、を用いた警備メッセージの表示方法であって、
前記警備装置により、ユーザによる警備モードの切替操作に基づいて前記警備モードを切替え、当該切替結果を示すモード切替信号を前記携帯端末へ送信し、
前記携帯端末により、
前記モード切替信号に基づく前記警備モードの切替設定に関するモード設定メッセージを少なくとも含む複数のメッセージを、チャット画面上に時系列に表示し、
前記複数のメッセージのうち、前記警備装置に設定されている現在の警備モードへの切替設定に関するモード設定メッセージを強調表示する
警備メッセージの表示方法。
【手続補正書】
【提出日】平成31年3月11日(2019.3.11)
【手続補正１】
【補正対象書類名】明細書
【補正対象項目名】００１０
【補正方法】変更
【補正の内容】
【００１０】
本発明は、従来技術の上記した問題点に注目し、内壁部材と外壁部材間を接続する接続部材が割れにくい環境試験装置を提供することを課題とする。
【手続補正２】
【補正対象書類名】明細書
【補正対象項目名】００１７
【補正方法】変更
【補正の内容】
【００１７】
本発明の環境試験装置は、内壁部材と外壁部材間を接続する接続部材が割れにくい。
【手続補正３】
【補正対象書類名】明細書
【補正対象項目名】００３６
【補正方法】変更
【補正の内容】
【００３６】
上記した実施形態では、カバー部材６０でスリット５０を覆い隠す構成を採用したが、カバー部材６０は必須ではなく、省略してもよい。
上記した実施形態では、接続部材４０の四隅にスリット５０を設けたが、必ずしも全ての角にスリット５０を設ける必要はない。またスリット５０の位置は、角に限定されるものではなく、辺部であってもよい。
本実施形態では、スリット５０を内壁部材２６側に寄った位置に設けた。この理由は、内側筐体２２が高温や低温に晒されるので、変形しやすく、内側筐体２２の変形に追従させるためにスリット５０を内壁部材２６側に寄った位置に設けたものである。しかしながら本発明は、この構成に限定されるものではなく、スリット５０を内壁部材２６の近傍と外壁部材２７の近傍の双方に設けてもよく、外壁部材２７の近傍だけに設けてもよい。
またスリット５０は、必ずしも、一端が開放されていなくてもよい。